(57)【特許請求の範囲】
【請求項１】
クライアント端末における操作情報を、所定の表示装置で表示することにより監視を行うクライアント端末監視システムで用いる管理サーバであって、
前記管理サーバは、
前記クライアント端末における操作情報を、前記クライアント端末から受け取り、前記受け取った一部または全部の操作情報を前記所定の表示装置で表示する操作情報受取部と、
前記操作情報の監視状況を示す監視状況情報を用いて、前記クライアント端末の監視レベルを判定する監視レベル判定部と、
前記判定した監視レベルを前記クライアント端末に送信することで、前記監視レベルに応じた監視制御を実行させる監視レベル送信部と、
を有することを特徴とするクライアント端末監視システムで用いる管理サーバ。
【請求項２】
クライアント端末における操作情報を、管理者が利用する管理者端末の表示装置で表示することにより監視を行うクライアント端末監視システムで用いる管理サーバであって、
前記管理サーバは、
前記クライアント端末における操作情報を、前記クライアント端末から受け取り、前記受け取った一部または全部の操作情報を前記管理者端末に送信することにより、該操作情報を前記管理者端末の表示装置で表示させる操作情報受取部と、
前記管理者端末における操作情報の監視状況を示す監視状況情報を、前記管理者端末から受け取る監視状況情報受取部と、
前記受け取った監視状況情報を用いて、前記クライアント端末の監視レベルを判定する監視レベル判定部と、
前記判定した監視レベルを前記クライアント端末または前記管理者端末に送信することで、前記監視レベルに応じた監視制御を実行させる監視レベル送信部と、
を有することを特徴とするクライアント端末監視システムで用いる管理サーバ。
【請求項３】
前記監視状況情報は、
前記管理者端末の表示装置で、前記操作情報を表示した時間、表示開始時刻、表示終了時刻のいずれか一以上を含む情報であり、
前記監視レベル判定部は、
所定時間内における前記操作情報を表示した時間を算出し、前記算出した表示時間を用いて前記監視レベルを判定する、
ことを特徴とする請求項１または請求項２に記載のクライアント端末監視システムで用いる管理サーバ。
【請求項４】
前記監視状況情報は、
前記管理者端末の表示装置で、前記操作情報を表示した時間、表示開始時刻、表示終了時刻のいずれか一以上を含む情報であり、
前記監視レベル判定部は、
時間帯ごとの前記操作情報を表示した時間を算出し、前記算出した時間帯ごとの表示時間により、時間帯ごとの監視レベルを判定する、
ことを特徴とする請求項１または請求項２に記載のクライアント端末監視システムで用いる管理サーバ。
【請求項５】
前記監視状況情報は、
前記管理者端末の表示装置で、前記操作情報を表示した位置を含む情報であり、
前記監視レベル判定部は、
前記操作情報を表示した位置情報を用いて、前記監視レベルを判定する、
ことを特徴とする請求項１から請求項４のいずれかに記載のクライアント端末監視システムで用いる管理サーバ。
【請求項６】
少なくとも一台以上のコンピュータ端末である管理サーバを、
クライアント端末における操作情報を、前記クライアント端末から受け取り、前記受け取った一部または全部の操作情報を、所定の表示装置で表示する操作情報受取部、
前記操作情報の監視状況を示す監視状況情報を用いて、前記クライアント端末の監視レベルを判定する監視レベル判定部、
前記判定した監視レベルを前記クライアント端末に送信することで、前記監視レベルに応じた監視制御を実行させる監視レベル送信部、
として機能させることを特徴とするクライアント端末監視プログラム。
【請求項７】
少なくとも一台以上のコンピュータ端末である管理サーバを、
クライアント端末における操作情報を、前記クライアント端末から受け取り、前記受け取った一部または全部の操作情報を、管理者端末に送信することにより、該操作情報を前記管理者端末の表示装置で表示させる操作情報受取部、
前記管理者端末における操作情報の監視状況を示す監視状況情報を、前記管理者端末から受け取る監視状況情報受取部、
前記受け取った監視状況情報を用いて、前記クライアント端末の監視レベルを判定する監視レベル判定部、
前記判定した監視レベルを前記クライアント端末または前記管理者端末に送信することで、前記監視レベルに応じた監視制御を実行させる監視レベル送信部、
として機能させることを特徴とするクライアント端末監視プログラム。
【発明の詳細な説明】
【技術分野】
【０００１】
本発明は、クライアント端末の操作を監視するクライアント端末監視システムに関する。更に詳細には、クライアント端末の操作監視を行う際に、例えば、監視時間の少ないクライアント端末に対して、監視レベルを変更することにより、管理者によるクライアント端末の監視作業をサポートするクライアント端末監視システムに関する。
【背景技術】
【０００２】
企業などの組織においては多数のクライアント端末が使用されている。しかしそのクライアント端末において、過失により不適切な操作が行われたり、あるいは悪意のユーザが故意に不適切な操作を行うことによって、情報漏洩などの危険性が生じる。また業務時間中に業務とは関係のない操作を行うことで、業務効率の低下を招く場合もある。
【０００３】
そこで近年では各クライアント端末においてどのような操作を行っているのか、を所定の管理者が監視している。このようなクライアント端末を監視するシステムの一例を下記特許文献１乃至特許文献５に示す。
【０００４】
これらの各特許文献に記載の発明では、クライアント端末の表示装置で表示している画面情報を記録し、それを管理者が確認することによって監視を行っている。例えば管理者のコンピュータ端末（管理者端末）において、１５台のクライアント端末の表示装置で表示している画面を表示する。そしてその中から更に一つのクライアント端末を選択することによって、管理者はその画面を拡大して確認することもできる。
【０００５】
【特許文献１】特開２００６−１４６３１１号公報
【特許文献２】特開２００５−２０４１８３号公報
【特許文献３】特開２００５−１４９２６７号公報
【特許文献４】特開２００４−５２３３号公報
【特許文献５】特開２００３−４４３２０号公報
【発明の開示】
【発明が解決しようとする課題】
【０００６】
上述のような従来の監視システムを用いることによって、各クライアント端末の操作状況を監視することができる点では有益である。しかし監視するクライアント端末の台数が多くなると、管理者一人で監視を行っていたのでは、どうしても監視の漏れも生じる。例えば上述の例でいえば、１５台のクライアント端末の表示装置の画面を管理者端末で表示できる場合であって、１００台のクライアント端末を当該管理者が監視しなければならないとすると、１回の表示ではすべてのクライアント端末の画面を表示できないことから、監視する対象となるクライアント端末を適宜切り替える必要がある。そうすると、どうしても監視の行き届かないクライアント端末が生じかねないし、それを管理者の努力により補おうとすると管理者の負担が大きくなってしまう。またそもそも管理者にも日常の業務があるので、常に各クライアント端末を監視しているわけではない。
【０００７】
そこで、上述のことを回避するために監視するクライアント端末をランダムに切り替えたり、一定時間ごとに切り替える方法もあるが、その場合には監視したいクライアント端末も切り替わってしまうことから、監視したいクライアント端末なのに管理者が十分に監視できない、といった問題が生じ、そのままでは好ましくない。
【０００８】
以上のようなことから、各クライアント端末を監視する際に、監視の漏れが生じないように、あるいは監視の漏れが生じた場合であってもそのクライアント端末から情報漏洩等が発生しにくくなるような、監視をサポートするシステムが求められている。
【０００９】
また、情報漏洩などを防止する場合には、情報漏洩の可能性のある操作に対して操作制限をかけることで対応することができるが、そうするとクライアント端末における利便性が著しく低下するので、利便性をできるだけ下げることなく、対応することが求められている。
【課題を解決するための手段】
【００１０】
本発明者は上記課題に鑑み、各クライアント端末を監視する際に、監視の漏れが生じないように、あるいは監視の漏れが生じた場合であってもそのクライアント端末から情報漏洩等が発生しにくくなるようにそのクライアント端末の監視レベルを判定、変更することで監視をサポートするクライアント端末監視システムを発明した。
【００１１】
請求項１の発明は、クライアント端末における操作情報を、所定の表示装置で表示することにより監視を行うクライアント端末監視システムで用いる管理サーバであって、前記管理サーバは、前記クライアント端末における操作情報を、前記クライアント端末から受け取り、前記受け取った一部または全部の操作情報を前記所定の表示装置で表示する操作情報受取部と、前記操作情報の監視状況を示す監視状況情報を用いて、前記クライアント端末の監視レベルを判定する監視レベル判定部と、前記判定した監視レベルを前記クライアント端末に送信することで、前記監視レベルに応じた監視制御を実行させる監視レベル送信部と、を有するクライアント端末監視システムで用いる管理サーバである。
【００１２】
本発明のように構成することで、クライアント端末の操作情報をどの程度の時間だけ表示していたか、すなわち、どの程度の時間だけ監視していたかによって、監視レベルを変更し、それに基づく監視制御を実行させることが可能となる。これにより、監視の漏れが生じなくなるようにする、あるいは監視の漏れが生じた場合であっても監視制御が行われることにより監視をサポートすることができる。
【００１３】
請求項２の発明は、クライアント端末における操作情報を、管理者が利用する管理者端末の表示装置で表示することにより監視を行うクライアント端末監視システムで用いる管理サーバであって、前記管理サーバは、前記クライアント端末における操作情報を、前記クライアント端末から受け取り、前記受け取った一部または全部の操作情報を前記管理者端末に送信することにより、該操作情報を前記管理者端末の表示装置で表示させる操作情報受取部と、前記管理者端末における操作情報の監視状況を示す監視状況情報を、前記管理者端末から受け取る監視状況情報受取部と、前記受け取った監視状況情報を用いて、前記クライアント端末の監視レベルを判定する監視レベル判定部と、前記判定した監視レベルを前記クライアント端末または前記管理者端末に送信することで、前記監視レベルに応じた監視制御を実行させる監視レベル送信部と、を有するクライアント端末監視システムで用いる管理サーバである。
【００１４】
請求項１の発明は、本発明のように構成することもできる。
【００１７】
請求項３の発明において、前記監視状況情報は、前記管理者端末の表示装置で、前記操作情報を表示した時間、表示開始時刻、表示終了時刻のいずれか一以上を含む情報であり、前記監視レベル判定部は、所定時間内における前記操作情報を表示した時間を算出し、前記算出した表示時間を用いて前記監視レベルを判定する、クライアント端末監視システムで用いる管理サーバである。
【００１８】
監視レベルの判定には様々な方法があるが、本発明のように、所定時間内において操作情報を表示した時間に基づいて判定することもできる。これによって、所定時間内でどれだけ監視が行われていたのか、が分かるからである。
【００１９】
請求項４の発明において、前記監視状況情報は、前記管理者端末の表示装置で、前記操作情報を表示した時間、表示開始時刻、表示終了時刻のいずれか一以上を含む情報であり、前記監視レベル判定部は、時間帯ごとの前記操作情報を表示した時間を算出し、前記算出した時間帯ごとの表示時間により、時間帯ごとの監視レベルを判定する、クライアント端末監視システムで用いる管理サーバである。
【００２０】
また監視レベルの判定方法としては、本発明のように、時間帯ごとの操作情報を表示した時間を算出し、それに基づいて判定しても良い。これによって、管理者による監視が行き届いていない時間帯には監視レベルを強化し、監視が行き届いている時間帯には監視レベルを低くする、といったように監視制御を変更することができる。
【００２１】
請求項５の発明において、前記監視状況情報は、前記管理者端末の表示装置で、前記操作情報を表示した位置を含む情報であり、前記監視レベル判定部は、前記操作情報を表示した位置情報を用いて、前記監視レベルを判定する、クライアント端末監視システムで用いる管理サーバである。
【００２２】
管理者端末で操作情報を表示する際にはその表示位置も重要である。例えば表示装置の中心あたりに表示されていれば操作情報の監視もしやすいが、表示装置の隅に表示されていれば監視の見落としもありえる。そこで監視レベルの判定を行う際には、本発明のように、操作情報を表示した位置情報を用いて判定することも好ましい。
【００２５】
請求項６の発明は、少なくとも一台以上のコンピュータ端末である管理サーバを、クライアント端末における操作情報を、前記クライアント端末から受け取り、前記受け取った一部または全部の操作情報を、所定の表示装置で表示する操作情報受取部、前記操作情報の監視状況を示す監視状況情報を用いて、前記クライアント端末の監視レベルを判定する監視レベル判定部、前記判定した監視レベルを前記クライアント端末に送信することで、前記監視レベルに応じた監視制御を実行させる監視レベル送信部、として機能させるクライアント端末監視プログラムである。
【００２６】
本発明のプログラムをコンピュータ端末に読み込み、実行することで、請求項１の管理サーバを実現することができる。
【００２７】
請求項７の発明は、少なくとも一台以上のコンピュータ端末である管理サーバを、クライアント端末における操作情報を、前記クライアント端末から受け取り、前記受け取った一部または全部の操作情報を、管理者端末に送信することにより、該操作情報を前記管理者端末の表示装置で表示させる操作情報受取部、前記管理者端末における操作情報の監視状況を示す監視状況情報を、前記管理者端末から受け取る監視状況情報受取部、前記受け取った監視状況情報を用いて、前記クライアント端末の監視レベルを判定する監視レベル判定部、前記判定した監視レベルを前記クライアント端末または前記管理者端末に送信することで、前記監視レベルに応じた監視制御を実行させる監視レベル送信部、として機能させるクライアント端末監視プログラムである。
【００２８】
本発明のプログラムをコンピュータ端末に読み込み、実行することで、請求項２の管理サーバを実現することができる。
【発明の効果】
【００２９】
本発明のクライアント端末監視システムを用いることによって、各クライアント端末を監視する際に、監視の漏れが生じないように、あるいは監視の漏れが生じた場合であってもそのクライアント端末から情報漏洩等が発生しにくくなる。そのため管理者が監視するクライアント端末が増えた場合であっても、情報漏洩等の危険性も下がり、また管理者の負担を軽減することもできる。
【発明を実施するための最良の形態】
【００３０】
本発明の全体の概念図を図１に示す。また本発明のクライアント端末監視システム１のシステム構成の概念図を図２に示す。
【００３１】
本発明のクライアント端末監視システム１は、各クライアント端末４を監視する管理者が利用するコンピュータ端末またはサーバ（以下、「管理サーバ２」という）において、所定のプログラムが読み込まれ、処理されることにより実現される。管理サーバ２は、複数のクライアント端末４においてどのようなプログラムが実行されているか、どのような画面が表示されているかを記録、監視することが好ましい。そのため、各クライアント端末４には、当該クライアント端末４において実行されているプログラム名、ファイル名などの情報を定期的に、あるいは新たなプログラムやファイルが実行された場合または終了した場合などの所定のタイミングで、クライアント端末４から管理サーバ２にそのプログラム名やファイル名の情報を送信する機能、クライアント端末４の画面をキャプチャして、定期的にまたは不定期に管理サーバ２に送信する機能を備えていることが好適である。プログラム名やファイル名の情報を送信する機能は、クライアント端末４の演算装置２０で実行しているプログラム名やファイル名を抽出したり、メモリ内のプログラム名やファイル名を抽出して送信すればよい。つまりいわゆる操作ログ情報をクライアント端末４から管理サーバ２に送信すればよい。また画面をキャプチャするには、例えばＶＲＡＭなどの画面に表示する情報を記憶する表示情報記憶装置から画面で表示している画面情報を読み取り、それを画面情報として送信すればよい。
【００３２】
なお操作ログ情報と画面情報とは同一時点で対応づけられていても良いし、対応づけられていなくても良い。また操作ログ情報と画面情報は、同じタイミングでクライアント端末４から管理サーバ２に送信されても良いし、異なるタイミングで送信されても良い。
【００３３】
管理サーバ２、管理者端末３、クライアント端末４は、プログラムの演算処理を実行するＣＰＵなどの演算装置２０と、情報を記憶するＲＡＭやハードディスクなどの記憶装置２１と、演算装置２０の処理結果や記憶装置２１に記憶する情報をインターネットやＬＡＮなどのネットワークを介して送受信する通信装置２４と、ディスプレイ（画面）などの表示装置２２を少なくとも有している。コンピュータ上で実現する各機能（各手段）は、その処理を実行する手段（プログラムやモジュールなど）が演算装置２０に読み込まれることでその処理が実行される。各機能は、記憶装置２１に記憶した情報をその処理において使用する場合には、該当する情報を当該記憶装置２１から読み出し、読み出した情報を適宜、演算装置２０における処理に用いる。当該コンピュータには、キーボードやマウスやテンキーなどの入力装置２３を有していても良い。図３に管理サーバ２のハードウェア構成の一例を模式的に示す。また、管理サーバ２は、複数のコンピュータ端末またはサーバに、その機能が分散配置されていても良い。
【００３４】
本発明における各手段は、その機能が論理的に区別されているのみであって、物理上あるいは事実上は同一の領域を為していても良い。
【００３５】
管理者端末３は、管理者が使用するコンピュータ端末であって、管理サーバ２で各クライアント端末４から受け取った操作画面情報や操作ログ情報を管理サーバ２から受け取り、管理者端末３の表示装置２２で表示する。この表示によって、各クライアント端末４でどのような操作が行われているのかを確認することができる。図５に、管理者端末３の表示装置２２で、各クライアント端末４の操作画面情報を表示する画面の一例を示す。また図６に、図５で表示した各クライアント端末４の操作画面情報から一つのクライアント端末４の操作画面情報を選択して表示した場合の画面の一例を示す。
【００３６】
管理者端末３では、各クライアント端末４の操作画面情報の表示時間や表示開始時刻、表示終了時刻、あるいはその表示位置などを、後述する監視状況情報として、定期的にまたは不定期に管理サーバ２に送信する機能を備えている。
【００３７】
なお管理者端末３は管理サーバ２とは一体的に設けられていても良いし、別のコンピュータ端末として設けられていても良い。
【００３８】
管理サーバ２は、操作画面情報受取部５と操作画面情報記憶部６と操作ログ情報受取部７と操作ログ情報記憶部８と監視状況情報受取部９と監視状況情報記憶部１０と監視レベル判定部１１と監視レベル送信部１２とを有している。
【００３９】
操作画面情報受取部５は、管理サーバ２が監視対象としている各クライアント端末４から、当該各クライアント端末４の表示装置２２で表示している操作画面情報を受け取る。例えば図７に示すような操作画面情報を画像形式で受け取る。操作画面情報受取部５は、定期的にまたは所定のタイミングで各クライアント端末４から操作画面情報を受け取ると、それを後述する操作画面情報記憶部６に記憶させる。この際に、クライアント端末４を識別する情報、日時などを対応づけて記憶させる。ここで受け取った操作画面情報が管理者端末３に送信され、管理者端末３の表示装置２２でクライアント端末４を識別する情報と共に表示されることとなる。
【００４０】
操作画面情報記憶部６は、操作画面情報受取部５で受け取った、各クライアント端末４からの操作画面情報をクライアント端末４を識別する情報、日時などと対応づけて記憶している。
【００４１】
操作ログ情報受取部７は、各クライアント端末４から定期的にまたは不定期に、当該クライアント端末４における操作ログ情報を受け取る。受け取った操作ログ情報は、後述する操作ログ情報記憶部８に、その日時、どのクライアント端末４における操作ログ情報であるかを識別する情報と共に、記憶させる。なお操作ログ情報としては、各クライアント端末４における操作内容を示す情報であればよく、例えば「ファイルコピー」、「ファイル選択」、「ドライブ追加」など、当該クライアント端末４の操作者の操作を示す情報が該当する。また、管理サーバ２が各クライアント端末４から操作ログ情報を受け取る際にはネットワークを介して受け取っても良いし、操作ログ情報がクライアント端末４においてＤＶＤなどの記録媒体に記録され、その記録媒体が管理サーバ２に読み取られ、そこから操作ログ情報を読み込むことによって受け取っても良い。
【００４２】
操作ログ情報記憶部８は、操作ログ情報受取部７で各クライアント端末４から受け取った操作ログ情報を記憶する。操作ログ情報には、クライアント端末４を識別する情報、操作内容を示す情報、操作内容の操作対象となったファイルやアプリケーションの名称、当該ファイルやアプリケーションの所在位置を示す情報、日時または日時を数値化した情報などが含まれている。図８に操作ログ情報の一例を示す。なお操作ログ情報は、各クライアント端末４またはそのユーザ（ログイン名など）ごとに記憶することが好ましい。なお操作内容を示す情報を日時などに対応づける場合には、クライアント端末４で行っても良いし、操作ログ情報を管理サーバ２で受け取った際に行っても良いし、或いは操作ログ情報記憶部８で記憶した際に行っても良い。
【００４３】
監視状況情報受取部９は、管理者端末３から、定期的にまたは不定期に各クライアント端末４の監視状況を示す情報（本明細書では、「監視状況情報」という）を受け取る。ここで監視状況情報とは、各クライアント端末４の操作画面情報を、管理者端末３の表示装置２２でどのくらいの時間だけ表示しているのかを示す情報やその表示時刻（表示開始と表示終了の時刻）などである。この監視状況情報受取部９は、監視状況情報を、各クライアント端末４の識別情報と共に受け取っている。また場合によっては、更に、管理者端末３の表示装置２２（管理者端末３の表示装置２２で表示する、各クライアント端末４の操作画面情報を表示する画面上）のどの位置で表示したか、を示す情報を監視状況情報として受け取っても良い。
【００４４】
監視状況情報記憶部１０は、監視状況情報受取部９で受け取った、管理者端末３における監視状況情報を記憶する。この監視状況情報は、各クライアント端末４の識別情報に対応づけて記憶していることが好ましい。
【００４５】
監視レベル判定部１１は、監視状況情報受取部９で受け取った監視状況情報に基づいて、クライアント端末４ごとの監視レベルを判定する。
【００４６】
あるクライアント端末４に対する監視レベルを判定する一例としては、監視状況情報記憶部１０に記憶した、当該クライアント端末４の所定時間内の監視状況情報を抽出し（これは当該クライアント端末４の識別情報に基づいて抽出できる）、その所定時間において、どのくらいの時間、管理者端末３の表示装置２２で当該クライアント端末４の操作画面情報を表示していたかを算出する。この算出した時間と、所定の監視レベルの対応関係（図９）とを参照することによって、当該クライアント端末４の監視レベルを判定する。
【００４７】
図９の場合、表示時間が少ない方が監視レベルが小さい値となっている。従って監視レベルが小さいほうが、後述するように、様々な制御、例えばアラート通知や機能制限などが行われやすくなる。なお表示時間と監視レベルとの対応関係はこれ以外の方法により定義づけられていても良いことはいうまでもない。
【００４８】
また上述の場合において、更に、時間帯ごとに監視レベルを変更するように構成しても良い。例えば、上述のように所定時間内の監視状況情報に基づいて、所定時間における操作画面情報の表示時間の合計を算出するほか、監視状況情報から、各時間帯ごとにどのくらいの時間、管理者端末３の表示装置２２で当該クライアント端末４の操作画面情報を表示していたかを算出する（例えば１時間ごと、午前中の就業時間前、午前中の就業時間中、午後の就業時間中、午後の就業時間後など）。そして時間帯ごとの表示時間の合計が所定時間より短い場合には、その時間帯の監視レベルを、上記のように単なる通算の表示時間の合計により判定した監視レベルよりも、監視レベルを厳しいレベルに引き上げる。例えば図９の場合、監視レベルが「３」であれば監視レベルを「２」にする。
【００４９】
監視レベル送信部１２は、監視レベル判定部１１で判定した、クライアント端末４ごとの監視レベルを、当該クライアント端末４、管理者端末３に送信する。この監視レベルを受け取ったクライアント端末４では、当該監視レベルに基づく監視制御が行われる。従って当該クライアント端末４では、このように受け取った監視レベルに基づいて監視制御を行うモジュールやプログラムを備えている。また管理者端末３においても同様に、監視レベルに基づいて各クライアント端末４ごとの監視制御が行われる。例えば所定の監視レベルのクライアント端末４の操作画面情報を所定の位置（例えば見やすい位置）に表示したりする。
【実施例１】
【００５０】
次に本発明のクライアント端末監視システム１の処理プロセスの一例を図４のフローチャート、図２の概念図に基づいて説明する。
【００５１】
各クライアント端末４から管理サーバ２に、当該クライアント端末４の操作ログ情報、当該クライアント端末４の表示装置２２で表示している操作画面情報が、定期的にまたは所定のタイミングで送信されている。この情報は、操作画面情報については、操作画面情報受取部５で受け取り（Ｓ１００）、また操作ログ情報については操作ログ情報受取部７で受け取る（Ｓ１００）。
【００５２】
操作画面情報受取部５で受け取った操作画面情報は、当該操作画面情報を送信したクライアント端末４を識別する情報、日時や日時を数値化した情報とあわせて、操作画面情報記憶部６に記憶させる。図７が操作画面情報の一例である。
【００５３】
操作ログ情報受取部７で受け取った操作ログ情報は、操作ログ情報記憶部８に記憶させる。操作ログ情報には、当該クライアント端末４を識別する情報、日時の情報などが含まれていることが一般的ではあるが、含まれていない場合には、それらの情報をあわせて受け取ることによって、対応づけて操作ログ情報記憶部８に記憶させる。
【００５４】
このようにして操作画面情報記憶部６に記憶した操作画面情報、操作ログ情報記憶部８に記憶した操作ログ情報については、管理者端末３に送信し、管理者端末３の表示装置２２で表示される（Ｓ１１０）。この際の表示の一例が図１０である（図５も同様）。
【００５５】
図１０の表示例の場合、画面左側領域において、各クライアント端末４の操作画面情報が、当該クライアント端末４を識別する情報と共に表示されている。この領域においては操作画面情報が縮小して表示されているので、例えばこの縮小した操作画面情報を管理者が選択することによって、図１１に示すような操作画面情報の通常サイズでの表示が行われる（図６も同様）。また図１０の表示例における画面右側領域においては、各クライアント端末４から受け取った操作ログ情報に基づいて、操作内容や操作対象となったファイルやアプリケーション名などが表示されている。これによってどのファイルやアプリケーションが処理対象となっているのかを確認することができる。
【００５６】
このような図１０、図１１のような画面が管理者端末３の表示装置２２で表示され、それを管理者が閲覧することによって、各クライアント端末４における操作などを監視することができる。
【００５７】
また管理者端末３では、当該表示装置２２で操作画面情報を表示した時間や、表示開始時刻、表示終了時刻などを監視状況情報として、管理者端末３から管理サーバ２に逐次、送信している。例えばクライアント端末４の識別情報が「ＳＫＹ３５００６」の操作画面情報を５秒間、当該画面（図１０や図１１に示すような画面）で表示していた場合には、管理者端末３はそれを計時し、監視状況情報として「５秒間」と「ＳＫＹ３５００６」を送信する。なお時間を送信するのではなく、表示開始時刻と表示終了時刻とを送信しても良いし、これらのいずれか一以上、或いは複数を送信しても良い。
【００５８】
管理サーバ２の監視状況情報受取部９は、管理者端末３から監視状況情報を受け取ると、それを監視状況情報記憶部１０に記憶させる（Ｓ１２０）。
【００５９】
監視レベル判定部１１は、所定のタイミングで、例えば管理者端末３から監視状況情報を受け取った際に、定期的にまたは不定期に、監視状況情報に基づいてクライアント端末４ごとの監視レベルを判定する（Ｓ１３０）。
【００６０】
例えば監視レベル判定部１１がクライアント端末４「ＳＫＹ３５００６」の監視レベルの判定を行う場合には、監視状況情報記憶部１０に記憶した過去１時間分の監視状況情報を当該クライアント端末４の識別情報に基づいて抽出する。そして抽出した監視状況情報から、管理者端末３での当該クライアント端末４「ＳＫＹ３５００６」の操作画面情報の表示時間を合計する。そしてその合計した表示時間に基づいて、監視レベルを判定する。例えば合計した表示時間が「５秒間」であれば、当該クライアント端末４「ＳＫＹ３５００６」の監視レベルを「１」と判定する。
【００６１】
このようにして判定したクライアント端末４の監視レベルを、監視レベル送信部１２は当該クライアント端末４、管理者端末３に送信する（Ｓ１４０）。上述の場合、「ＳＫＹ３５００６」のクライアント端末４、管理者端末３に対して、監視レベル「１」を送信することとなる。
【００６２】
また監視レベル判定部１１は、クライアント端末４の監視レベルの判定の際にその表示した時間帯を加味した判定を行う場合には、監視状況情報記憶部１０に記憶する、例えば２４時間や４８時間前から現在までの監視状況情報を抽出し、監視状況情報から表示開始時刻、表示終了時刻を抽出する。そして１時間ごとの表示時間の合計値を算出する。そしてまず１時間前から現在までの表示時間の合計値に基づいて監視レベルを判定する。例えば１時間前から現在までの表示時間の合計値が「１５秒間」であれば監視レベルを「３」と判定する。そして次に各時間帯ごとの表示時間の合計値と所定の基準値とを比較し、それら各々が所定の基準値を満たしているかを判定する。
【００６３】
例えば各時間帯ごとの表示時間の合計値の一例を図１２に示す。そして基準値が「１０秒間」である場合、表示時間の合計値が「１０秒間」以下の時間帯については、管理者による監視があまり行われていない時間帯、すなわち監視に偏りがあると考えられる。図１２の場合、「０時から９時」、「１０時から１１時」、「１２時から１３時」、「１５時から１６時」、「１９時から０時」の各時間帯は「１０秒間」以下の時間帯である。従ってこれらの時間帯については、上記で判定した監視レベル「３」よりも更に厳しい監視レベル
、例えば監視レベル「２」や「１」などと判定しても良い。
【００６４】
なお、８時前や２２時以降などは通常は業務が殆ど行われていないため、そもそもクライアント端末４が機能していない場合がある。そのような場合に監視レベルを変更しても無意味であるから、例えば予め定められた就業時間や、予め定められた時間帯については、上述のように、基準値以下の時間帯であっても監視レベルを変更しないようにしても良い。
【００６５】
このように時間帯ごとの監視レベルを判定することによって、単にクライアント端末４ごとの監視レベルを判定するよりも、管理者の監視時間帯の偏りなどを加味した処理が可能となる。
【００６６】
以上のようにして判定した監視レベルをクライアント端末４で受け取ると、クライアント端末４では当該監視レベルに基づいて監視制御を行う。例えば監視レベルに応じて、クライアント端末４で実行する各機能について、使用制限を行ったり、実行した場合に、そのことが管理サーバ２に通知されるような監視制御が行われる。
【００６７】
これを模式的に示すのが図１３である。図１３では「使用制限」となっていれば当該機能を実行することはできないことを意味しており、「警告通知」となっていれば当該機能を実行した際に管理サーバ２へ警告が行われることを通知することを意味しており、「ＯＫ」となっていれば従来通りそのまま使用できることを意味している。
【００６８】
例えば監視レベル「３」を管理サーバ２から受け取ったクライアント端末４では、何らかのソフトウェアのインストールを実行する場合には、その操作を当該クライアント端末４で検出することによって、当該クライアント端末４から管理サーバ２へインストールが実行されていることの警告通知が行われる。この場合の警告として、操作内容とクライアント端末４の識別情報とがあわせて通知されることが好ましい。
【００６９】
また監視レベル「１」を管理サーバ２から受け取ったクライアント端末４では、何らかのソフトウェアのインストールを実行する場合には、その操作を当該クライアント端末４で検出すると、その操作に対して使用制限がかかっているので、当該操作を不許可とする。すなわち当該インストール操作は実行できない。なおこのような使用制限がかかっている操作をクライアント端末４で検出した場合には、クライアント端末４に、「このクライアント端末４では行えない操作です。管理者にお問い合わせ下さい」といったメッセージを表示させるほか、当該クライアント端末４から管理サーバ２に対して、当該クライアント端末４において使用制限がかかっている操作が行われたことを通知するようにしても良い。
【００７０】
このようにクライアント端末４において、監視レベルに基づく監視制御を行うことによって、管理者による監視が行き届いていないクライアント端末４について、一定の操作制限や警告通知などが行われやすくなるので、管理者による監視が行き届いていなくても監視のサポートを自動的に行うことができる。これによって管理者による監視負担の軽減にもつながる。
【００７１】
なおクライアント端末４が、時間帯ごとの監視レベルを管理サーバ２から受け取っている場合には、当該クライアント端末４における時刻に応じて監視レベルに基づく監視制御を行えばよい。
【００７２】
また管理サーバ２から各クライアント端末４の監視レベルを受け取った管理者端末３では、例えば監視レベルが所定の基準以下のクライアント端末４について、所定時間以上、強制的にその操作画面情報を、管理者端末３の表示装置２２で表示させたり、当該操作画面情報を赤枠で囲うなど、目立つように表示するなどの監視制御を実行する。このような管理者端末３における監視制御によって、監視レベルが低いクライアント端末４について、その操作画面情報を自動的に表示させたり、強調表示させることによって、管理者による監視に不足がなくなるような制御を行うことができる。
【実施例２】
【００７３】
上述の実施例では管理者端末３の表示装置２２で操作画面情報を表示した時間（或いは時刻）に基づいて監視レベルを判定した場合を説明したが、管理者端末３の表示装置２２で操作画面情報を表示する位置に基づいて監視レベルを判定するように構成しても良い。この場合、監視状況情報として、表示装置２２で操作画面情報を表示した位置を示す情報が管理者端末３から管理サーバ２に送信されることとなる。
【００７４】
図１４に示すように、管理者端末３の表示装置２２で各クライアント端末４の操作画面情報を表示すると、一度に多数の操作画面情報が表示されるので、その表示位置によっては、管理者があまり注視しない位置に操作画面情報が表示される場合もある。あるいは見やすい位置に操作画面情報が表示された場合には管理者がよく見るので監視が行き届いている場合もある。
【００７５】
図１４の場合には、管理者端末３の表示装置２２で、各クライアント端末４の操作画面情報の一覧を表示する際に、その表示領域を、監視が行き届く（管理者が見やすい位置にあり、よく見ると考えられる）領域（領域１）、監視が普通の領域（領域２）、監視があまり行き届かない（管理者が見落としやすい位置にあり、あまり見ないと考えられる領域）（領域３）に分割した場合を示している。
【００７６】
そして管理者端末３は監視状況情報として、各クライアント端末４の識別情報と、その表示位置を示す情報（領域の情報）を管理サーバ２に送信する。例えばクライアント端末４の識別情報「ＳＫＹ３５００６」と「領域１」の情報を送信する。
【００７７】
監視状況情報受取部９で監視状況情報を受け取ると、それを監視状況情報記憶部１０に記憶させる。
【００７８】
監視レベル判定部１１は、所定のタイミングにおいて、所定時間内の監視状況情報を抽出し、その所定時間内における表示した領域の平均値（なお平均には相加平均、相乗平均、調和平均などが含まれる）を算出する。例えば領域が領域１から領域３まであり（つまり図１４の場合）、領域１が監視レベル３、領域２が監視レベル２、領域３が監視レベル１に対応づけられており、領域１に２秒、領域２に３秒、領域３に１秒であれば、所定の演算により、例えば（（３×２）＋（２×３）＋（１×１））÷（２＋３＋１）≒２．２を算出し、監視レベル２が平均であることを判定する。
【００７９】
監視レベル判定部１１は、上述のような監視レベルの判定の方法のほかにも、例えば、各領域ごとの表示された時間を算出し、最も長い時間表示された領域、最も短い時間表示された領域などに対応した監視レベルを、当該クライアント端末４の監視レベルと判定しても良い。
【００８０】
このように判定した監視レベルを、監視レベル送信部１２がクライアント端末４、管理者端末３に送信することで、クライアント端末４、管理者端末３において監視制御が実行される。
【実施例３】
【００８１】
実施例１に実施例２を更に加えても良い。すなわち監視状況情報として、管理者端末３の表示装置２２での操作画面情報の表示時間のほか、その表示位置も送信し、表示時間と表示位置とを用いて当該クライアント端末４の監視レベルを判定しても良い。
【００８２】
例えば実施例１を用いて、表示時間に基づいて監視レベルを判定した場合、次に表示位置に基づく監視レベルを実施例２に基づいて判定する。そしてそれらの各監視レベルのうち、いずれか低い方または高い方の監視レベルを、当該クライアント端末４の監視レベルとして判定しても良い。例えば表示時間に基づく監視レベルが「３」であり、表示位置に基づく監視レベルが「２」の場合、低い方の監視レベルである監視レベル「２」を当該クライアント端末４の監視レベルとして判定したり、高い方の監視レベルである監視レベル「３」を当該クライアント端末４の監視レベルとして判定する。
【００８３】
また単純に比較するのみではなく、表示時間に基づく監視レベル、表示位置に基づく監視レベルに対して、各々係数を掛け、それに基づいて平均値を算出することで監視レベルを判定しても良い。例えば表示時間に基づく監視レベルの係数が「０．８」、表示位置に基づく監視レベルの係数が「０．２」であり、各監視レベルが上記の場合、（３×０．８＋２×０．２）を演算して、「２．８」を算出する。従って監視レベルを「３」と判定する。
【００８４】
このように表示時間と表示位置の双方に基づいて監視レベルを判定することによって、双方の要素を加味した上での監視レベルの判定が可能となる。
【実施例４】
【００８５】
なお上述の実施例１乃至実施例３では各クライアント端末４の表示装置２２で表示している操作画面情報に基づいて処理を行った場合を説明したが、操作ログ情報受取部７で受け取った各クライアント端末４の操作ログ情報などに基づいて処理を行った場合であっても同様に処理が実行できる。つまり各クライアント端末４から操作ログ情報を受け取り、それを管理者端末の表示装置２２で表示させることで、管理者が各クライアント端末の操作ログ情報を監視することができる。この場合にも上述の本発明を適用することができる。
【００８６】
この場合、管理者端末３の表示装置２２で操作ログ情報を表示した表示時間などに基づく、操作ログ情報の監視状況の情報を管理者端末３から管理サーバ２が受け取ることによって、監視レベルを判定するように構成することも可能となる。なお操作画面情報、操作ログ情報などを総称して「操作情報」と本明細書では称する。この場合、上述の各実施例における操作画面情報は、操作ログ情報あるいは操作情報と読み替えられる。
【産業上の利用可能性】
【００８７】
本発明のクライアント端末監視システム１を用いることによって、各クライアント端末４を監視する際に、監視の漏れが生じないように、あるいは監視の漏れが生じた場合であってもそのクライアント端末４から情報漏洩等が発生しにくくなる。そのため管理者が監視するクライアント端末４が増えた場合であっても、情報漏洩等の危険性も下がり、また管理者の負担を軽減することもできる。
【図面の簡単な説明】
【００８８】
【図１】本発明の全体の概念を示す模式図である。
【図２】本発明のシステム構成の概念図である。
【図３】管理サーバのハードウェア構成の概念図である。
【図４】本発明の処理プロセスの一例を示すフローチャートである。
【図５】管理者端末で表示する各クライアント端末４の操作画面情報の一覧表示の際の画面の一例である。
【図６】管理者端末で表示する各クライアント端末４の操作画面情報の、特定のクライアント端末４の操作画面情報の表示の際の画面の一例である。
【図７】操作画面情報の一例である。
【図８】操作ログ情報の一例である。
【図９】管理者端末での表示時間と監視レベルとの対応関係の一例を模式的に示す図である。
【図１０】管理者端末で表示する各クライアント端末の操作画面情報の一覧表示の際の画面の一例である。
【図１１】管理者端末で表示する各クライアント端末の操作画面情報の、特定のクライアント端末の操作画面情報の表示の際の画面の一例である。
【図１２】各時間帯ごとの表示時間の合計値の一例を模式的に示す図である。
【図１３】監視レベルに応じた監視制御の一例を模式的に示す図である。
【図１４】管理者端末の表示装置における表示領域を模式的に示す図である。
【符号の説明】
【００８９】
１：クライアント端末監視システム
２：管理サーバ
３：管理者端末
４：クライアント端末
５：操作画面情報受取部
６：操作画面情報記憶部
７：操作ログ情報受取部
８：操作ログ情報記憶部
９：監視状況情報受取部
１０：監視状況情報記憶部
１１：監視レベル判定部
１２：監視レベル送信部
２０：演算装置
２１：記憶装置
２２：表示装置
２３：入力装置
２４：通信装置
【図１】
0004542575.tif 000002
【図２】
0004542575.tif 000003
【図３】
0004542575.tif 000004
【図４】
0004542575.tif 000005
【図５】
0004542575.tif 000006
【図６】
0004542575.tif 000007
【図７】
0004542575.tif 000008
【図８】
0004542575.tif 000009
【図９】
0004542575.tif 000010
【図１０】
0004542575.tif 000011
【図１１】
0004542575.tif 000012
【図１２】
0004542575.tif 000013
【図１３】
0004542575.tif 000014
【図１４】
0004542575.tif 000015